(57)【要約】  エレベータ装置においては、かご内照明装置とかご内撮影装置とがかごに設けられている。かご内画像制御部は、個人情報端末からのかご内画像要求に応じて、かご内撮影装置により撮影されたかご内の画像のデータを個人情報端末に送信する。また、かご内画像制御部は、かご内画像要求を受けたとき、かご内照明装置が消灯されている場合には、かご内照明装置を点灯させた上でかご内撮影装置によりかご内を撮影させる。
2008111167.tif 000002
【特許請求の範囲】
【請求項１】
かご内照明装置とかご内撮影装置とを有するかご、及び
利用者が携帯する個人情報端末に通信ネットワークを介して接続され、上記個人情報端末からのかご内画像要求に応じて、上記かご内撮影装置により撮影された上記かご内の画像のデータを上記個人情報端末に送信するかご内画像制御部
を備えているエレベータ装置において、
上記かご内画像制御部は、上記かご内画像要求を受けたとき、上記かご内照明装置が消灯されている場合には、上記かご内照明装置を点灯させた上で上記かご内撮影装置により上記かご内を撮影させることを特徴とするエレベータ装置。
【請求項２】
かご内照明装置とかご内撮影装置とを有するかご、及び
利用者が携帯する個人情報端末に通信ネットワークを介して接続され、上記個人情報端末からのかご内画像要求に応じて、上記かご内撮影装置により撮影された上記かご内の画像のデータを上記個人情報端末に送信するかご内画像制御部
を備えているエレベータ装置において、
上記かごには、上記かご内照明装置とは別の撮影用フラッシュライトが設けられており、
上記かご内画像制御部は、上記かご内画像要求を受けたとき、上記かご内照明装置が消灯されている場合には、上記撮影用フラッシュライトを点灯させつつ上記かご内撮影装置により上記かご内を撮影させることを特徴とするエレベータ装置。
【請求項３】
かご内照明装置とかご内撮影装置とを有するかご、及び
利用者が携帯する個人情報端末に通信ネットワークを介して接続され、上記個人情報端末からのかご内画像要求に応じて、上記かご内撮影装置により撮影された上記かご内の画像のデータを上記個人情報端末に送信するかご内画像制御部
を備えているエレベータ装置において、
上記かご内画像制御部は、上記かご内画像要求を受けたとき、上記かご内照明装置が消灯されている場合には、上記かご内照明装置を点灯させるかどうかを確認するための点灯確認情報を上記個人情報端末に送信し、上記点灯確認情報に対する上記個人情報端末からの返信内容に応じて上記かご内照明装置を選択的に点灯・消灯させた状態で上記かご内撮影装置により上記かご内を撮影させることを特徴とするエレベータ装置。
【請求項４】
かご内照明装置とかご内撮影装置とを有するかご、及び
利用者が携帯する個人情報端末に通信ネットワークを介して接続され、上記個人情報端末からのかご内画像要求に応じて、上記かご内撮影装置により撮影された上記かご内の画像のデータを上記個人情報端末に送信するかご内画像制御部
を備えているエレベータ装置において、
上記かご内画像制御部は、上記かご内照明装置が消灯される際、消灯直前の上記かご内の画像を上記かご内撮影装置により撮影させておき、上記かご内画像要求を受けたとき、上記かご内照明装置が消灯されている場合には、消灯直前の上記かご内の画像のデータを上記個人情報端末に送信することを特徴とするエレベータ装置。
【請求項５】
かご内照明装置とかご内撮影装置とを有するかご、及び
利用者が携帯する個人情報端末に通信ネットワークを介して接続され、上記個人情報端末からのかご内画像要求に応じて、上記かご内撮影装置により撮影された上記かご内の画像のデータを上記個人情報端末に送信するかご内画像制御部
を備えているエレベータ装置において、
上記かご内画像制御部は、上記かご内画像要求を受けた時間の情報を記憶し、上記かご内画像要求を受けた時間帯には上記かご内照明装置を点灯させておくことを特徴とするエレベータ装置。
【発明の詳細な説明】
【技術分野】
【０００１】
この発明は、例えば携帯電話等の個人情報端末からの要求に応じて、かご内の画像のデータを個人情報端末に送信可能なエレベータ装置に関するものである。
【背景技術】
【０００２】
従来のエレベータ防犯システムでは、携帯電話等の個人情報端末からの要求に応じて、かご内の監視カメラにより撮影されたかご内の画像のデータが個人情報端末に送信される（例えば、特許文献１参照）。【０００３】
【特許文献１】特開２００４−１９６４７３号公報
【発明の開示】
【発明が解決しようとする課題】
【０００４】
近年、エレベータ装置では、省エネルギー対策のため、所定時間呼びがないことを検出するとかご内の照明装置を自動的に消灯させ、次に呼びが発生したときに照明装置を再点灯させる制御が行われている。これに対して、上記のような従来の防犯システムでは、個人情報端末からの要求に対して、単にかご内画像データを送信するだけであるため、かご内の照明装置が消灯されているときに個人情報端末からの要求を受けると、かご内の画像を個人情報端末にうまく表示させることができないことがあった。【０００５】
この発明は、上記のような課題を解決するためになされたものであり、個人情報端末からのかご内画像要求に対して、より適切な画像を個人情報端末に表示させることができるエレベータ装置を得ることを目的とする。
【課題を解決するための手段】
【０００６】
この発明によるエレベータ装置は、エレベータ装置は、かご内照明装置とかご内撮影装置とを有するかご、及び利用者が携帯する個人情報端末に通信ネットワークを介して接続され、個人情報端末からのかご内画像要求に応じて、かご内撮影装置により撮影されたかご内の画像のデータを個人情報端末に送信するかご内画像制御部を備え、かご内画像制御部は、かご内画像要求を受けたとき、かご内照明装置が消灯されている場合には、かご内照明装置を点灯させた上でかご内撮影装置によりかご内を撮影させる。
また、この発明によるエレベータ装置は、かご内照明装置とかご内撮影装置とを有するかご、及び利用者が携帯する個人情報端末に通信ネットワークを介して接続され、個人情報端末からのかご内画像要求に応じて、かご内撮影装置により撮影されたかご内の画像のデータを個人情報端末に送信するかご内画像制御部を備え、かごには、かご内照明装置とは別の撮影用フラッシュライトが設けられており、かご内画像制御部は、かご内画像要求を受けたとき、かご内照明装置が消灯されている場合には、撮影用フラッシュライトを点灯させつつかご内撮影装置によりかご内を撮影させる。
また、この発明によるエレベータ装置は、かご内照明装置とかご内撮影装置とを有するかご、及び利用者が携帯する個人情報端末に通信ネットワークを介して接続され、個人情報端末からのかご内画像要求に応じて、かご内撮影装置により撮影されたかご内の画像のデータを個人情報端末に送信するかご内画像制御部を備え、かご内画像制御部は、かご内画像要求を受けたとき、かご内照明装置が消灯されている場合には、かご内照明装置を点灯させるかどうかを確認するための点灯確認情報を個人情報端末に送信し、点灯確認情報に対する個人情報端末からの返信内容に応じてかご内照明装置を選択的に点灯・消灯させた状態でかご内撮影装置によりかご内を撮影させる。
また、この発明によるエレベータ装置は、かご内照明装置とかご内撮影装置とを有するかご、及び利用者が携帯する個人情報端末に通信ネットワークを介して接続され、個人情報端末からのかご内画像要求に応じて、かご内撮影装置により撮影されたかご内の画像のデータを個人情報端末に送信するかご内画像制御部を備え、かご内画像制御部は、かご内照明装置が消灯される際、消灯直前のかご内の画像をかご内撮影装置により撮影させておき、かご内画像要求を受けたとき、かご内照明装置が消灯されている場合には、消灯直前のかご内の画像のデータを個人情報端末に送信する。
また、この発明によるエレベータ装置は、かご内照明装置とかご内撮影装置とを有するかご、及び利用者が携帯する個人情報端末に通信ネットワークを介して接続され、個人情報端末からのかご内画像要求に応じて、かご内撮影装置により撮影されたかご内の画像のデータを個人情報端末に送信するかご内画像制御部を備え、かご内画像制御部は、かご内画像要求を受けた時間の情報を記憶し、かご内画像要求を受けた時間帯にはかご内照明装置を点灯させておく。
【図面の簡単な説明】
【０００７】
【図１】この発明の実施の形態１によるエレベータ装置の要部を示すブロック図である。
【図２】図１のかご内画像制御部及び個人情報端末の動作を示すフローチャートである。
【図３】この発明の実施の形態２によるエレベータ装置の要部を示すブロック図である。
【図４】この発明の実施の形態３によるエレベータ装置の要部を示すブロック図である。
【図５】図４のかご内画像制御部及び個人情報端末の動作を示すフローチャートである。
【図６】この発明の実施の形態４によるエレベータ装置の要部を示すブロック図である。
【図７】この発明の実施の形態５によるエレベータ装置の要部を示すブロック図である。
【発明を実施するための最良の形態】
【０００８】
以下、この発明の好適な実施の形態について図面を参照して説明する。
実施の形態１．
図１はこの発明の実施の形態１によるエレベータ装置の要部を示すブロック図である。図において、昇降路内を昇降されるかご１内には、かご内照明装置２とかご内撮影装置３とが設けられている。かご内照明装置２としては、例えば複数の蛍光灯又は複数の白熱灯等が用いられている。かご内撮影装置３としては、例えばカメラが用いられている。【０００９】
かご内照明装置２及びかご内撮影装置３は、かご内画像制御部４により制御されている。かご内画像制御部４は、かご内照明装置２を制御する照明制御部５と、かご内撮影装置３を制御する撮影制御部６と、外部との通信を行うためのエレベータ側送受信部７とを有している。【００１０】
照明制御部５は、かご内照明装置２の点灯・消灯状態を確認する状態確認部８、及びかご内照明装置２を点灯させるための点灯指令を生成する点灯指令部９を有している。【００１１】
かご内画像制御部４は、演算処理部（ＣＰＵ等）、記憶部（ＲＯＭ、ＲＡＭ及びハードディスク等）及び信号入出力部を持ったコンピュータを有している。即ち、かご内画像制御部４の機能は、コンピュータによる演算処理により実行することができる。この場合、コンピュータの記憶部には、かご内画像制御部４の機能を実現するためのプログラムが格納されている。また、かご内画像制御部４は、かご１の運行を制御するエレベータ制御装置内に設けることも、エレベータ制御装置とは別に設けることもできる。【００１２】
さらに、かご内画像制御部４は、通信ネットワーク１０を介して、利用者が携帯する個人情報端末１１に接続可能となっている。個人情報端末１１としては、例えば携帯電話、ＰＨＳ（Personal Handy-phone System）、ＰＤＡ（Personal Digital Assistant）、パーソナルコンピュータ等が挙げられる。【００１３】
個人情報端末１１は、かご内画像制御部４に対するかご内画像要求（指令信号）を生成するかご内画像要求部１２と、かご内画像制御部４から受けたかご１内の画像データに基づいてかご１内の画像をディスプレイに表示するかご内画像表示部１３と、外部との通信を行うための端末側送受信部１４とを有している。【００１４】
かご内画像制御部４は、個人情報端末１１からのかご内画像要求に応じて、かご内画像要求受付時にかご内撮影装置３により撮影されたかご１内の画像のデータを個人情報端末１１に送信する。【００１５】
また、かご内照明装置２は、所定時間呼びがないことが検出されると、省エネルギー対策のため自動的に消灯される。これに対して、かご内画像制御部４は、かご内画像要求を受けたとき、かご内照明装置２が消灯されている場合には、かご内照明装置２を点灯させた上でかご内撮影装置３によりかご１内を撮影させ、撮影されたかご１内の画像データを個人情報端末１１に送信する。【００１６】
次に、動作について説明する。図２は図１のかご内画像制御部４及び個人情報端末１１の動作を示すフローチャートである。利用者が個人情報端末１１を通信ネットワーク１０に接続し、かご内画像を要求するための操作を入力すると、かご内画像要求部１２によりかご内画像要求が生成され（ステップＳ１）、端末側送受信部１４からかご内画像要求が送信される（ステップＳ２）。【００１７】
個人情報端末１１からのかご内画像要求は、エレベータ側送受信部７で受信される（ステップＳ３）。かご内画像要求が受信されると、状態確認部８によりかご内照明装置２が点灯しているかどうかが確認される（ステップＳ４）。そして、かご内照明装置２が点灯されていれば、かご内撮影装置３により撮影されたかご内画像のデータが撮影制御部６により取得される（ステップＳ６）。また、かご内照明装置２が点灯されていなければ、点灯指令部９によりかご内照明装置２が点灯された上で（ステップＳ５）、撮影制御部６によりかご内画像データが取得される（ステップＳ６）。【００１８】
この後、かご内画像データが通信ネットワーク１０を介して個人情報端末１１に送信される（ステップＳ７）。そして、端末側送受信部１４によりかご内画像データが受信されると（ステップＳ８）、かご内画像表示部１３により個人情報端末１１のディスプレイ上にかご１内の画像が表示される（ステップＳ９）。【００１９】
このようなエレベータ装置では、かご内画像制御部４がかご内画像要求を受けたとき、かご内照明装置２が点灯しているかどうかを確認し、かご内照明装置２が消灯されている場合には、かご内照明装置２を点灯させた上でかご内撮影装置３によりかご内を撮影させ、そのかご内画像データを個人情報端末１１に送信するので、個人情報端末１１からのかご内画像要求に対して、より適切な画像を個人情報端末１１に表示させることができる。【００２０】
実施の形態２．
次に、図３はこの発明の実施の形態２によるエレベータ装置の要部を示すブロック図である。図において、かご１には、かご内照明装置２とは別の撮影用フラッシュライトであるストロボ１５が設けられている。また、かご内画像制御部４には、ストロボ１５を制御するストロボ制御部１６が設けられている。ストロボ制御部１６は、ストロボ１５を点灯させるための点灯指令を生成する点灯指令部１７を有している。【００２１】
かご内画像制御部４は、かご内画像要求を受けたとき、かご内照明装置２が消灯されている場合には、ストロボ１５を点灯させつつかご内撮影装置３によりかご１内を撮影させ、撮影されたかご１内の画像データを個人情報端末１１に送信する。他の構成及び動作は、実施の形態１と同様である。【００２２】
このように、かご内照明装置２とは別のストロボ１５を点灯させると同時にかご１内を撮影することによっても、個人情報端末１１からのかご内画像要求に対して、より適切な画像を個人情報端末１１に表示させることができる。
なお、撮影用フラッシュライトは、かご内画像撮影用の閃光を発生させることができればよく、ストロボに限定されるものではない。【００２３】
実施の形態３．
次に、図４はこの発明の実施の形態３によるエレベータ装置の要部を示すブロック図である。図において、かご内画像制御部４は、かご内画像要求を受けたとき、かご内照明装置が消灯されている場合には、かご内照明装置２を点灯させるかどうかを確認するための点灯確認情報を個人情報端末１１に送信する。個人情報端末１１は、点灯確認情報に対して、かご内照明装置２を点灯させるかどうかの指令を生成するための照明点灯要求部１８を有している。【００２４】
かご内画像制御部４は、点灯確認情報に対する個人情報端末１１からの返信内容に応じてかご内照明装置２を選択的に点灯・消灯させた状態でかご内撮影装置３によりかご１内を撮影させ、撮影されたかご１内の画像データを個人情報端末１１に送信する。他の構成は、実施の形態１と同様である。【００２５】
次に、動作について説明する。図５は図４のかご内画像制御部４及び個人情報端末１１の動作を示すフローチャートである。個人情報端末１１からのかご内画像要求をかご内画像制御部４で受信した際、かご内照明装置２が点灯されていなければ、照明制御部５により点灯確認情報が生成され送信される（ステップＳ１０）。個人情報端末１１により点灯確認情報が受信されると（ステップＳ１１）、その内容が個人情報端末１１のディスプレイに表示され、点灯確認情報に対する返信指令の入力待ちとなる（ステップＳ１２）。【００２６】
点灯確認情報に対する返信指令が利用者により入力されると、その返信指令が送信される（ステップＳ１３）。この後、かご内画像制御部４により返信指令が受信されると（ステップＳ１４）、返信指令の内容が点灯指令であるかどうかが照明制御部５により判断される（ステップＳ１５）。そして、返信指令が点灯指令であれば、かご内照明装置２が点灯された上で（ステップＳ５）、撮影制御部６によりかご内画像データが取得される（ステップＳ６）。また、返信指令が点灯指令でなければ、かご内照明装置２を消灯させたまま、撮影制御部６によりかご内画像データが取得される（ステップＳ６）。他の動作は、実施の形態１と同様である。【００２７】
このようなエレベータ装置では、かご内画像制御部４がかご内画像要求を受けたときに、かご内照明装置２が消灯していた場合、個人情報端末１１の利用者の希望に応じてかご内照明装置２を点灯させた上でかご内撮影装置３によりかご内を撮影させ、そのかご内画像データを個人情報端末１１に送信するので、個人情報端末１１からのかご内画像要求に対して、より適切な画像を個人情報端末１１に表示させることができる。【００２８】
なお、上記の例では、点灯確認情報に対する返信を待ってから、かご内照明装置２を点灯又は消灯した状態のかご内画像データを個人情報端末１１に送信したが、かご内画像要求に対して、かご内照明装置２を消灯させた状態のかご内画像データを取り敢えず送信し、かご内照明装置２を点灯させた状態のかご内画像データが必要であるかどうかを点灯確認情報として個人情報端末１１に送信するようにしてもよい。【００２９】
実施の形態４．
次に、図６はこの発明の実施の形態４によるエレベータ装置の要部を示すブロック図である。この例では、かご内画像制御部４は、かご内照明装置２が消灯される際、消灯直前のかご１内の画像をかご内撮影装置３により撮影させておく。この消灯直前のかご１内の画像データ（照明点灯データ）は、撮影制御部６に保管される。そして、かご内画像制御部４は、かご内画像要求を受けたとき、かご内照明装置２が消灯されている場合には、消灯直前のかご１内の画像のデータを個人情報端末１１に送信する。他の構成は、実施の形態１と同様である。【００３０】
このようなエレベータ装置では、個人情報端末１１からのかご内画像要求を受けたとき、かご内照明装置２が消灯されている場合には、消灯直前のかご１内の画像のデータを個人情報端末１１に送信するので、個人情報端末１１からのかご内画像要求に対して、より適切な画像を個人情報端末１１に表示させることができる。【００３１】
ここで、省エネルギー対策としてかご内照明装置２を消灯している場合、消灯中のかご１への人の乗降はなく、消灯後のかご１内の状態は消灯直前の状態と変わらないと考えることができる。従って、かご内画像要求に対して消灯直前の画像データを送信しても、個人情報端末１１には適切な画像を表示させることができる。また、撮影だけのためにかご内照明装置２を点灯させる場合に比べて、省エネルギー化を図ることができる。【００３２】
実施の形態５．
次に、図７はこの発明の実施の形態５によるエレベータ装置の要部を示すブロック図である。図において、かご内画像制御部４は、画像要求学習部１９を有している。画像要求学習部１９は、個人情報端末１１からかご内画像要求を受けた時間の情報を記憶し蓄積する。照明制御部５は、画像要求学習部１９からの情報に基づいて、過去にかご内画像要求を受けた時間帯にはかご内照明装置２を点灯させておく。【００３３】
具体的には、照明制御部５は、かご内画像要求を受けた時間を含む所定の長さの時間帯にかご内照明装置２を点灯させておく。また、かご内画像要求を受けた時間の情報（履歴情報）は、特に削除操作をしない限り全て蓄積しても、所定期間（例えば１日、１週間又は１ヶ月）内だけ蓄積し、所定期間を経過した時間情報は自動的に削除されるように設定してもよい。他の構成は、実施の形態１と同様である。【００３４】
このようなエレベータ装置では、かご内画像要求を受けた時間を学習し、かご内画像要求を受けた時間帯にはかご内照明装置２を点灯させておくようにしたので、個人情報端末１１からのかご内画像要求に対して、より適切な画像を個人情報端末１１に表示させることができる。
【図１】
2008111167.tif 000003
【図２】
2008111167.tif 000004
【図３】
2008111167.tif 000005
【図４】
2008111167.tif 000006
【図５】
2008111167.tif 000007
【図６】
2008111167.tif 000008
【図７】
2008111167.tif 000009
【国際調査報告】
2008111167.tif 000010
2008111167.tif 000011
2008111167.tif 000012
2008111167.tif 000013